(57)【要約】【課題】単一のサービス変更コマンドを利用して複数の短命終端をサービスから除く、またはサービスに復元するための方法を提供する。【解決手段】一群の終端ＩＤが、単一のサービス変更コマンド内で送信される。この一群の短命終端ＩＤは、終端ＩＤのリスト、範囲、またはリストと範囲の組み合わせの形態であることが可能である。複数の短命終端ＩＤを単一のサービス変更コマンドの中に含めることにより、メディア・ゲートウェイ・コントローラ（ＭＧＣ）とメディア・ゲートウェイ（ＭＧＷ）の間で必要とされるメッセージの数が削減される。メッセージの数を削減することにより、システム帯域幅の使用がより効率的になる。【選択図】図５
2004362562.tif 000002
【特許請求の範囲】
【請求項１】
サービス変更メッセージ内でサービスから除かれる複数の短命終端ＩＤを送信するための方法であって、
サービスから除かれる一群の短命終端ＩＤを特定する工程と、
複数の短命終端ＩＤに対する参照を含むサービス変更メッセージを生成する工程と、
サービスから除かれる複数の短命終端ＩＤの指示を含む前記サービス変更メッセージを送信する工程とを含む方法。
【請求項２】
サービス変更メッセージを生成する前記工程が、ＩＴＵ−Ｔ  Ｈ．２４８標準に準拠してサービス変更メッセージを生成する工程を含む請求項１に記載のサービス変更メッセージ内でサービスから除かれる複数の短命終端ＩＤを送信するための方法。
【請求項３】
サービス変更メッセージを生成する前記工程が、前記サービス変更メッセージの拡張フィールドを利用する工程を含む請求項１に記載のサービス変更メッセージ内でサービスから除かれる複数の短命終端ＩＤを送信するための方法。
【請求項４】
サービス変更メッセージを生成する前記工程が、サービスから除かれる前記複数の短命終端ＩＤに対応する終端ＩＤのリストを含むサービス変更メッセージを生成する工程を含む請求項１に記載のサービス変更メッセージ内でサービスから除かれる複数の短命終端ＩＤを送信するための方法。
【請求項５】
サービス変更メッセージを生成する前記工程が、サービスから除かれる前記複数の短命終端ＩＤに対応する終端ＩＤの範囲を含むサービス変更メッセージを生成する工程を含む請求項１に記載のサービス変更メッセージ内でサービスから除かれる複数の短命終端ＩＤを送信するための方法。
【請求項６】
請求項１に記載のサービス変更メッセージ内でサービスから除かれる複数の短命終端ＩＤを送信するための方法であって、サービス変更メッセージを生成する前記工程が、終端ＩＤのリスト、およびサービスから除かれる前記複数の短命終端ＩＤに対応する終端ＩＤの範囲を含むサービス変更メッセージを生成する工程を含む方法。
【請求項７】
サービス変更メッセージ内でサービスから除かれる複数の短命終端ＩＤを受信するための方法であって、
サービスから除かれる複数の短命終端ＩＤの指示を含むサービス変更メッセージを受信する工程と、
前記サービス変更メッセージからサービスから除かれる前記複数の短命終端ＩＤを抽出する工程と、
前記一群の短命終端ＩＤをサービスから除去する工程とを含む方法。
【請求項８】
サービス変更メッセージを受信する前記工程が、ＩＴＵ−Ｔ  Ｈ．２４８標準に準拠するサービス変更メッセージを受信する工程を含む請求項７に記載のサービス変更メッセージ内でサービスから除かれる複数の短命終端ＩＤを受信するための方法。
【請求項９】
前記複数の短命終端ＩＤを抽出する前記工程が、前記サービス変更メッセージの拡張フィールドを利用する工程を含む請求項７に記載のサービス変更メッセージ内でサービスから除かれる複数の短命終端ＩＤを受信するための方法。
【請求項１０】
前記複数の短命終端ＩＤを抽出する前記工程が、サービスから除かれる前記複数の短命終端ＩＤに対応するある範囲の終端ＩＤを抽出する工程を含む請求項７に記載のサービス変更メッセージ内でサービスから除かれる複数の短命終端ＩＤを受信するための方法。
【発明の詳細な説明】
【技術分野】
【０００１】
本発明は、一般に、通信システムに関し、より詳細には、終端のサービス状態を変更するための方法に関する。
【背景技術】
【０００２】
本出願は、２００３年５月２２日に出願した仮出願第６０／４７２，８１１号の恩典を主張する。
図１は、従来の技術による短命終端ＩＤ構造１００を描いている。短命終端ＩＤメッセージ１００は、Ｘ＿Ｐｒｅｆｉｘ１０１および終端番号１０３を含む。Ｘ＿Ｐｒｅｆｉｘ１０１は、好ましくは、英数字の文字列であり、終端番号１０３は、好ましくは、数字である。Ｘ＿Ｐｒｅｆｉｘ１０１は、例えば、非同期転送モード（ＡＴＭ）プレフィックス、インターネット・プロトコル（ＩＰ）プレフィックス、またはより一般的な短命プレフィックスであることが可能である。
【０００３】
各終端は、メディア・ゲートウェイ・コントローラ（ＭＧＣ）およびメディア・ゲートウェイ（ＭＧＷ）が特定の終端を識別することを可能にする終端識別子（終端ＩＤとも呼ばれる）を有する。
【０００４】
物理終端に関する終端ＩＤ構造は、階層構造、例えば、レベル１／レベル１．１ｘを有することが可能であり、これが該当する場合、Ｈ．２４８が、レベル１／＊の探索を行うことによってレベル１におけるすべての終端の「ワイルドカード探索」を行うことを可能にする。短命終端の場合、物理終端の場合に存在するような対応する階層構造は存在しない。
【０００５】
リアルタイム・トランスポート・プロトコル（ＲＴＰ）フローのような短命終端において、終端ＩＤの構造の階層的手法は、現実的に可能ではない。というのは、実際の物理伝送経路は、初期終端が追加されるまで特定されないからである。この制約を所与として、個々のサービス変更メッセージは、現在、終端ごとに送信され、現在の構造を利用してサービス変更メッセージを単一のサービス変更コマンドにグループ化する機構は存在しない。
【０００６】
現在、現行の短命終端の終端ＩＤ構造に関する階層は存在しない。これが通常、そうなっているのは、ＭＧＷに終端を最初に追加する際、その時点で遠隔のアドレスは、通常、不明であるからである。したがって、終端ＩＤ構造にどのような階層を課すことも困難である。
【０００７】
したがって、一群の短命終端をサービスから除く必要がある場合、この１組の短命終端を単一のサービス変更メッセージにグループ化する機構は存在しない。
したがって、例えば、ＩＴＵ−Ｔ  Ｈ．２４８標準を利用して、ＭＧＷは、終端または一群の終端がまもなくサービスから除かれること、またはいましがたサービスに戻されたことをＭＧＣに通知するサービス変更コマンドを送信する。したがって、個別のサービス変更メッセージが、各短命終端に関して送信される必要がある。これにより、余計な処理が必要とされ、過度に多くの帯域幅が利用される。
したがって、一群の短命終端をより効率的な形でサービスから除くことができるようにする方法の必要性が存在する。
【特許文献１】仮出願第６０／４７２，８１１号
【発明の開示】
【発明が解決しようとする課題】
【０００８】
本発明は、単一のサービス変更コマンドを利用して複数の短命終端をサービスから除くための方法を提供する。本発明は、単一のサービス変更コマンド内で終端ＩＤのリストを送信することによってこれを実現した。
【課題を解決するための手段】
【０００９】
本発明は、終端ＩＤのリストを含む単一のサービス変更コマンドを提供する。複数の短命終端ＩＤを単一のサービス変更コマンドの中に含めることにより、本発明は、メディア・ゲートウェイ・コントローラ（ＭＧＣ）とメディア・ゲートウェイ（ＭＧＷ）の間で必要とされるメッセージの数を削減する。メッセージの数を削減することにより、システム帯域幅の使用がより効率的になる。
【発明を実施するための最良の形態】
【００１０】
本発明は、図２乃至６を参照してよりよく理解することができる。図２は、本発明の例示的な実施形態によるサービス変更パラメータ２００を描いている。例示的な実施形態では、サービス変更パラメータ２００は、ＩＴＵ−Ｔ  Ｈ．２４８メッセージである。例示的な実施形態では、サービス変更パラメータ２００は、サービス変更パラメータ・フィールド２０１および拡張フィールド２０３を含む。サービス変更パラメータは、方法、理由、遅延、アドレス、プロファイル、バージョン、タイムスタンプ、またはｍｇｃｉｄに設定することができる。いくつかの終端ＩＤを単一のサービス変更コマンドにグループ化するため、本発明は、図３に描くとおり拡張フィールド２０３を活用する。
【００１１】
サービス変更パラメータ２００は、要求されたサービス変更を示すＩＴＵ−Ｔ  Ｈ．２４８メッセージの一部としてのコマンドである。好ましい実施形態では、サービス変更パラメータ２００は、ｓｅｒｖｉｃｅＣｈａｎｇｅＭｅｔｈｏｄ、ｓｅｒｖｉｃｅＣｈａｎｇｅＲｅａｓｏｎ、ｓｅｒｖｉｃｅＣｈａｎｇｅＤｅｌａｙ、ｓｅｒｖｉｃｅＣｈａｎｇｅＡｄｄｒｅｓｓ、ｓｅｒｖｉｃｅＣｈａｎｇｅＰｒｏｆｉｌｅ、ｅｘｔｅｎｓｉｏｎ、ＴｉｍｅＳｔａｍｐ、ｓｅｒｖｉｃｅＣｈａｎｇｅＭｇｃＩｄ、および／またはｓｅｒｖｉｃｅＣｈａｎｇｅＶｅｒｓｉｏｎを含むことが可能である。
【００１２】
図３は、本発明の例示的な実施形態によるサービス変更パラメータ２００の拡張フィールド２０３を描いている。拡張フィールド２０３は、拡張パラメータ・フィールド３０１およびパラメータ値フィールド３０３を含む。
【００１３】
拡張パラメータ・フィールド３０１は、拡張の特定のｐａｒａｍＶａｌｕｅに関する識別子ＩＤを含む。本発明の例示的な実施形態では、拡張パラメータ・フィールド３０１は、「Ｘ−ＴｅｒｍＩＤ」という値を含む。
【００１４】
パラメータ値フィールド３０３は、好ましくは、サービスから除かれる短命終端の値を（終端ＩＤのリストおよび／または終端ＩＤの範囲の形態で）含む。本発明の例示的な実施形態の例として、パラメータ値フィールド３０３は、サービスから除かれる終端ＩＤのリスト、サービスから除かれる終端ＩＤの範囲、または終端ＩＤのリストと範囲の組み合わせを含むことが可能である。終端ＩＤのリストの第１の例示的な実施形態が、｛ＲＴＰ／１，ＲＴＰ／３，ＲＴＰ／４｝であり、これは、終端ＩＤ、１、３、および４がサービスから除かれるべきことを示している。サービスから除かれる終端ＩＤの範囲の第２の例示的な実施形態が、｛ＲＴＰ／１：ＲＴＰ／６｝であり、これは、終端ＩＤ、１乃至６の範囲がサービスから除かれるべきことを示している。終端ＩＤのリストと範囲の組み合わせを含む本発明の第３の例示的な実施形態が、｛ＲＴＰ／１，ＲＴＰ／４：ＲＴＰ／７，ＲＴＰ／３０｝であり、この実施形態では、終端ＩＤ、１、４、５、６、７、および３０がサービスから除かれる。
【００１５】
図４は、本発明の例示的な実施形態によるＩＴＵ−Ｔ  Ｈ．２４８標準に準拠する例示的なサービス変更メッセージ４００を描いている。サービス変更メッセージ４００は、好ましくは、メッセージ・ヘッダ・フィールド４０１、トランザクション要求／応答フィールド４０３、コンテキストＩＤフィールド４０５を有するアクション要求、サービス変更フィールド４０７を示すコマンド要求、およびサービス変更記述子４０９を含む。サービス変更記述子４０９は、好ましくは、方法フィールド４１１、理由フィールド４１３、および拡張フィールド４１５を含む。
【００１６】
本発明の例示的な実施形態では、サービス変更メッセージ４００は、ＩＴＵ−Ｔ  Ｈ．２４８標準に準拠して構成される。本発明の例示的な実施形態では、メッセージ・ヘッダ・フィールド４０１は、ＭＥＧＡＣＯ／１［ｘ．ｘ．ｘ．ｘ］：ｙｙｙｙを含む。トランザクション要求／応答フィールド４０３は、「１」の値に設定される。コンテキストＩＤフィールド４０５を有するアクション要求は、「−」に設定される。終端ＩＤは、メッセージの拡張フィールドが、そのＨ．２４８メッセージが参照する終端ＩＤのリストを含むことを示す固有値に設定される。方法フィールド４１１は、「強制」に設定される。理由フィールド４１３は、「９０５」に設定される。
【００１７】
拡張フィールド４１５は、好ましくは、サービスから除かれる短命終端に設定される。拡張フィールド４１５は、好ましくは、図３に描くとおり、拡張パラメータ・フィールドおよびパラメータ・フィールドを含む。本発明の例示的な実施形態では、拡張フィールド４１５は、Ｘ−ＴｅｒｍＩＤ＝｛ＲＴＰ／６，ＲＴＰ／１０｝に設定される。この実施形態では、この単一のサービス変更メッセージから短命終端ＩＤ番号６および１０がサービスから除かれる。さらなる例示的な実施形態では、ある範囲の短命終端ＩＤが、拡張フィールド４１５内においてパラメータ値フィールドの中に含められることが可能である。例えば、拡張フィールド４１５が、Ｘ−ＴｅｒｍＩＤ＝｛ＲＴＰ／１：ＲＴＰ６｝に設定されることが可能であり、その場合、１乃至６の終端ＩＤを有する短命終端メッセージがサービスから除かれる。さらなる例示的な実施形態では、終端ＩＤのリストと範囲の組み合わせが、単一のサービス変更メッセージの中に含められることが可能である。この例示的な実施形態では、拡張フィールド４１５が、例えば、Ｘ−ＴｅｒｍＩＤ＝｛ＲＴＰ／１，ＲＴＰ／４：ＲＴＰ／７，ＲＴＰ／３０｝に設定されることが可能であり、その場合、単一のサービス変更メッセージから終端ＩＤ、１、４、５、６、７、および３０がサービスから除かれる。
【００１８】
図５は、サービス変更メッセージ内でサービスから除かれる複数の短命終端ＩＤを送信するための方法の流れ図５００を描いている。本発明は、サービス変更メッセージ内でサービスに復元される複数の短命終端ＩＤを送信するのにも使用できることを理解されたい。
【００１９】
メディア・ゲートウェイ（ＭＧＷ）が、サービスから除かれる一群の短命終端ＩＤを特定する（５０１）。例えば、この特定は、複数の終端に影響を及ぼすＤＳＰ（デジタル信号プロセッサ）の障害、ＡＴＭ（非同期転送モード）交換仮想回路（ＳＶＣ）の障害、またはＲＴＰ／ＲＴＣＰ（リアルタイム・トランスポート・プロトコル）タイムアウトの障害に基づいて行われることが可能である。ＭＧＷは、例えば、シスコ・メディア・ゲートウェイであることが可能である。
【００２０】
メディア・ゲートウェイ（ＭＧＷ）が、複数の短命終端ＩＤに対する参照を含むサービス変更メッセージを生成する（５０３）。サービス変更メッセージは、図２乃至４に従ったメッセージである。
【００２１】
メディア・ゲートウェイ（ＭＧＷ）が、サービスから除かれる複数の短命終端ＩＤの指示を含むサービス変更メッセージを送信する（５０５）。サービス変更メッセージは、好ましくは、Ｈ．２４８インターフェースを介して送信される。
【００２２】
図６は、サービス変更メッセージ内でサービスから除かれる複数の短命終端ＩＤを受信するための方法６００の流れ図を描いている。本発明は、サービス変更メッセージ内でサービスに復元される複数の短命終端ＩＤを受信するのにも使用できることを理解されたい。
【００２３】
メディア・ゲートウェイ・コントローラ（ＭＧＣ）が、サービスから除かれる複数の短命終端ＩＤの指示を含むサービス変更メッセージを受信する（６０１）。サービス変更メッセージは、好ましくは、ＭＧＣによって受信され、Ｈ．２４８パーサを通る。代替として、サービス変更メッセージは、いくつかの異なるソフトウェア層を通り、各層が適切な動作を実行する。ＬＳＳ（Ｌｕｃｅｎｔ  ＳｏｆｔＳｗｉｔｃｈ）の場合、サービス変更メッセージは、Ｈ．２４８デバイス・サーバによって構文解析され、処理された、次に、何らかの「終端状態」情報がコール・サーバに送られる。ＭＧＣは、例えば、Ｌｕｃｅｎｔ  ＳｏｆｔＳｗｉｔｃｈであることが可能である。
【００２４】
メディア・ゲートウェイ・コントローラ（ＭＧＣ）が、サービス変更メッセージからサービスから除かれる複数の短命終端ＩＤを抽出する（６０３）。これは、好ましくは、ＰａｒａｍＶａｌｕｅフィールドの中に終端ＩＤのリストおよび／または範囲が入れられたサービス変更パラメータの拡張フィールドを調べることによって達せられる。
【００２５】
メディア・ゲートウェイ・コントローラ（ＭＧＣ）が、その一群の短命終端ＩＤをサービスから除去する（６０５）。この除去は、その一群の短命終端がサービスから除かれることを生じさせている誤りのタイプに依存する。例えば、ＧＵＩ（グラフィカル・ユーザ・インターフェース）指示、チャネル・ステータス変更、またはいくつかの監査を実行するようにＭＧＷに向けてトリガされたＨ．２４８メッセージ等が行われることが可能である。
【００２６】
本発明は、したがって、より効率的な形で一群の短命終端をサービスから除くこと、またはサービスに復元することができるようにする方法を提供する。これは、単一のサービス変更コマンド内で終端ＩＤのリストを送信することによって達せられる。
本発明を本発明のいくつかの例に関連して説明してきたが、本発明は、以上の説明には限定されず、頭記の特許請求の範囲に記載する範囲だけに限定されるものとする。
【図面の簡単な説明】
【００２７】
【図１】従来の技術による短命終端ＩＤ構造を描いた図である。
【図２】本発明の例示的な実施形態によるサービス変更パラメータを描いた図である。
【図３】本発明の例示的な実施形態によるサービス変更メッセージの拡張フィールドを描いた図である。
【図４】本発明の例示的な実施形態によるＩＴＵ−Ｔ  Ｈ．２４８標準に準拠する例示的なサービス変更メッセージを描いた図である。
【図５】サービス変更メッセージ内でサービスから除かれる複数の短命終端ＩＤを送信するための方法を示す流れ図である。
【図６】サービス変更メッセージ内でサービスから除かれる複数の短命終端ＩＤを受信するための方法を示す流れ図である。
【図１】
2004362562.tif 000003
【図２】
2004362562.tif 000004
【図３】
2004362562.tif 000005
【図４】
2004362562.tif 000006
【図５】
2004362562.tif 000007
【図６】
2004362562.tif 000008